(57)【特許請求の範囲】
【請求項１】
パチンコ球導出樋とパチンコ球排出樋との間に設けられる球通路と、該球通路内に爪車の係合爪を臨ませてパチンコ球の流れを制御する球制御用回転体とを有し、パチンコ球の球圧が球制御用回転体のほぼ回転中心に向かって作用するように球通路と球制御用回転体の配置を設定すると共に、球制御用回転体の係合爪を、パチンコ球の押出側をその球面がフィットする凹弧形に、また、反対の背側を凸弧形にしてほぼ半三日月形に形成してなるパチンコ球放出装置において、
前記係合爪の頂部に爪車の回転中心を中心とする円弧状の球止め部を設けてなることを特徴とするパチンコ球放出装置。
【発明の詳細な説明】
【０００１】
【産業上の利用分野】
本発明は、景品球や貸球を遊技客に払い出すパチンコ球放出装置に関する。
【０００２】
【従来の技術】
本発明者は、パチンコ球導出樋とパチンコ球排出樋との間に設けられる球通路と、該球通路内に爪車の係合爪を臨ませてパチンコ球の流れを制御する球制御用回転体と、を有するパチンコ球放出装置において、パチンコ球の球圧が球制御用回転体のほぼ回転中心に向かって作用するように球通路と球制御用回転体の配置を設定すると共に、球制御用回転体の係合爪を、パチンコ球の押出側をその球面がフィットする凹弧形に、また、反対の背側を凸弧形にしてほぼ半三日月形に形成し、さらに、その高さをパチンコ球より低く設定してなるパチンコ球放出装置を先に特許出願した（特願平４−１７９００８号）。
【０００３】
【発明が解決しようとする課題】
上記パチンコ球放出装置は、爪車の係合爪が半三日月形であるため、球制御用回転体が回り過ぎて係合爪が所定の位置に停止しなかった場合において、それ以外に特殊な条件が重なるとパチンコ球が大量流出する虞がある。すなわち、係合爪が所定の位置を行き過ぎて停止すると、先ずパチンコ球の球圧が凸弧形の背に加わり、球制御用回転体に回転モーメントが作用する。そのような回転モーメントが球制御用回転体に加わっている条件下で、第一にパチンコ球放出装置のモータの電源をＯＦＦにし、第二に例えば前枠の下端を誤って膝で蹴り上げるなどして強い縦揺れの衝撃がパチンコ球放出装置に加わった場合、パチンコ球の縦揺れで球圧が動的に作用するから前記回転モーメントが急増し、その回転モーメントの急増で球制御用回転体が回転するとその回転が引き金となって雪崩状態に陥り、ノーブレーキ状態でパチンコ球が大量流出するのである。
そのようなトラブルを防止するには、係合爪が常に定位置で停止するように球制御用回転体を高精度で制御する必要があるが、それでは技術的難度が高くなり過ぎてコスト高になり、また、安定した品質での量産化が難しい、という問題点が明らかとなった。
本発明は上記に鑑みなされたもので、その目的は、球制御用回転体の係合爪の停止位置にある程度幅を持たせて制御を行い易くし、以て、従来技術の問題点を全て解消することにある。
【０００４】
【課題を解決するための手段】
上記の目的を達成するため本発明は、
パチンコ球導出樋とパチンコ球排出樋との間に設けられる球通路と、該球通路内に爪車の係合爪を臨ませてパチンコ球の流れを制御する球制御用回転体とを有し、パチンコ球の球圧が球制御用回転体のほぼ回転中心に向かって作用するように球通路と球制御用回転体の配置を設定すると共に、球制御用回転体の係合爪を、パチンコ球の押出側をその球面がフィットする凹弧形に、また、反対の背側を凸弧形にしてほぼ半三日月形に形成してなるパチンコ球放出装置において、
前記係合爪の頂部に爪車の回転中心を中心とする円弧状の球止め部を設けてなるパチンコ球放出装置を提供する。
【０００５】
【作用】
係合爪頂部の球止め部は爪車の回転中心を中心とする円弧状であるため、周上のどの位置に球圧が加わってもその球圧は球制御用回転体の回転中心に向かって作用する。従って、球止め部の周上でパチンコ球が受け止められるように球制御用回転体を制御すれば、該球制御用回転体に従来のような回転モーメントが作用することがなくなり、パチンコ球の大量流出トラブルが確実に防げる。
而して、係合爪の球止め部には長さがあるため、球止め部の周上でパチンコ球を受け止めるように球制御用回転体を制御することは比較的容易である。従って、球制御用回転体の制御が簡単になり、コストの低減及び安定した品質での量産化が可能になる。
【０００６】
【実施例】
以下に本発明の実施例を図面を参照しつつ説明する。なお、図１はパチンコ球放出装置の一部切欠斜視図、図２はパチンコ球放出装置の縦断面図、図３は図２のＷ−Ｗ線断面図、図４は図２のＸ−Ｘ線断面図、図５はパチンコ機の裏面図である。
図５において、パチンコ機Ｐの機構板１には、パチンコ球の流れ順に、パチンコ球を貯める球タンク２と、球タンク２のパチンコ球を流すパチンコ球導出樋３と、該パチンコ球導出樋３の流下端に接続するパチンコ球放出装置４と、該パチンコ球放出装置４に連通してパチンコ球を景品球や貸球として上球皿（図示せず）に導くパチンコ球排出樋５が設けられている。
また、機構板１にはさらに、入賞したパチンコ球（入賞球）を集める入賞球集合樋６と、該入賞球集合樋６の入賞球を一個づつ処理して入賞信号を発する入賞球処理装置７が設けられている。
【０００７】
パチンコ球放出装置４は、前記のようにパチンコ球導出樋３とパチンコ球排出樋５の間に介装されており、二枚のプレート８ｆ，８ｒ間に形成した球通路９によって両樋３，５を結ぶ。球通路９は、上から入口通路９ａ，球切り通路９ｂ，排出通路９ｃに区分される。入口通路９ａは、中央の仕切板９ｄを介して二列に区画されており、側面にパチンコ球検出用の近接スイッチ１０，１０を有する。一方、下側の排出通路９ｃは、図２に示すように、パチンコ球一個が通過可能な広さの通路をプレート８ｆ，８ｒの中央に配置したもので、下端に通過スイッチ１１を一個装着し、プレート８ｆ，８ｒから通過スイッチ１１に向けて漏斗状に誘導片１４を設けてなる。
【０００８】
球通路９の中間に位置する球切り通路９ｂには球制御用回転体１２が設けられている。球制御用回転体１２は、丸棒状の胴部１２ａの外周に二組の爪車Ｒ１，Ｒ２を突設してなり、各爪車Ｒ１，Ｒ２が二列の入口通路９ａに対応する。この二組の爪車Ｒ１，Ｒ２は、夫々三枚の係合爪１２ｂ，１２ｂ，１２ｂで構成されている。各爪車Ｒ１，Ｒ２は、図４のように、互いの係合爪１２ｂ，１２ｂ…の角度が６０度づつずれるように設定されており、一方の爪車Ｒ１の係合爪１２ｂがＹ字状態であると、他方の爪車Ｒ２の係合爪１２ｂが逆Ｙ字状態になる。従って、パチンコ球を供給した初期状態では、一方の爪車Ｒ１が図３のように係合爪１２ｂ，１２ｂの背と腹の間でパチンコ球Ｂ１を受け、もう一方の爪車Ｒ２が図４のように係合爪１２ｂ頂部の後述する球止め部１２ｃでパチンコ球を受け止める。
【０００９】
各係合爪１２ｂ，１２ｂ…は、パチンコ球の押出側（腹側）を、その球面がフィットする凹弧形に、また、反対の背側を凸弧形にした形態で、さらに、頂部に爪車Ｒ１，Ｒ２の回転中心を中心とする円弧状の球止め部１２ｃを設けてなり、その高さをパチンコ球より低く設定してなる。
球制御用回転体１２は、図２〜図４のように入口通路９ａの中心直下に配置されている。球制御用回転体１２の胴部１２ａは、プレート８ｆに設置されたステッピングモーター１３の回転軸１３ａに固着されており、該ステッピングモーター１３の駆動によって球制御用回転体１２が図３，図４において反時計回りに回転する。
【００１０】
次にパチンコ球放出装置４の放出動作について、先ず、球制御用回転体１２のプレート８ｒ側の爪車Ｒ１から説明する。
図３の実線で示すように、爪車Ｒ１がＹ字状に停止している状態では、上の二枚の係合爪１２ｂ，１２ｂの背と腹の間にパチンコ球Ｂ１が止まり、このパチンコ球Ｂ１の重心が回転軸１３ａの中心を通る直線上にあるため球圧が球制御用回転体１２の回転中心に向かって作用する。
この状態でステッピングモーター１３を作動させて球制御用回転体１２を図３において反時計回りに６０度回転させると、図３一点鎖線のようにパチンコ球Ｂ１が係合爪１２ｂの背に載ったまま球切り通路９ｂの途中で止まる。このとき、パチンコ球Ｂ１の上にあったパチンコ球Ｂ２は図３一点鎖線のように係合爪１２ｂの球止め部１２ｃ上で受け止められている。この状態でパチンコ球Ｂ２を含む上のパチンコ球の球圧が球止め部１２ｃに加わるが、球止め部１２ｃが爪車Ｒ１の回転中心を中心とする円弧形状であるため、前記球圧は回転軸１３ａの中心に向かう。従って、パチンコ球の球圧は球制御用回転体１２の回転に対して殆ど抵抗にならない。
そして、図３一点鎖線の状態からさらに球制御用回転体１２を６０度回転させると、パチンコ球Ｂ１が球切り通路９ｂから抜け、誘導片１４で案内されて排出通路９ｃの中央に落下し、続いて通過スイッチ１１で検出されてパチンコ球排出樋５に放出される。このとき、パチンコ球Ｂ１の上にあったパチンコ球Ｂ２は係合爪１２ｂと係合爪１２ｂの間で受けられて待機している。
【００１１】
次に、上記したようにプレート８ｒ側の爪車Ｒ１が図３実線のＹ字状態にあるとき、プレート８ｆ側の爪車Ｒ２は図４に示すように逆Ｙ字状態になっていて、パチンコ球Ｂ３を係合爪１２ｂの球止め部１２ｃで受け止めている。そして、球制御用回転体１２が６０度回転すると爪車Ｒ２がＹ字状態になり、上の２つの係合爪１２ｂ，１２ｂの背と腹の間でパチンコ球Ｂ３を保持して次の回転を待つ。次に、球制御用回転体１２が６０度回転すると前記爪車Ｒ１と同様にパチンコ球Ｂ３が球切り通路９ｂで待機し、さらに球制御用回転体１２が６０度回転すると排出通路９ｃに放出される。
以後、球制御用回転体１２が６０度回転する毎に各爪車Ｒ１，Ｒ２から交互に一個づつパチンコ球が放出されるから、例えば、通常の１５個用の入賞信号に対しては球制御用回転体１２を（２＋１／２）回転させればよい。同様に７個用の入賞信号に対しては球制御用回転体１２を（１＋１／６）回転させ、また、図５に示したような球貸装置１８から２５個の球貸命令を受けた場合は球制御用回転体１２を（４＋１／６）回転させればよい。
【００１２】
なお、図示した実施例のように爪車Ｒ１，Ｒ２を偶数組設け、係合爪１２ｂ，１２ｂの背と腹でパチンコ球を受けるＹ字状態と、係合爪１２ｂの球止め部１２ｃでパチンコ球を受ける逆Ｙ字状態を交互に繰り返す設定にしておけば、球制御用回転体１２の停止位置が常に自動的に補正される。すなわち、爪車Ｒ１（Ｒ２）は図３実線のようにＹ字状態にあって係合爪１２ｂ，１２ｂの背と腹の間の窪みで球圧を受けているとき最も安定する。一方、そのとき他方の爪車Ｒ２（Ｒ１）は、係合爪１２ｂの球止め部１２ｃでパチンコ球を受け止めている状態であるから球圧の抵抗を殆ど受けずに軽い力でも回転し得る。従って、もし球制御用回転体１２の停止位置が一定にならなくとも、Ｙ字状態側の爪車Ｒ１，Ｒ２が球圧の作用で安定した位置に戻されるため、球制御用回転体１２の停止位置が常に自動的に補正されるのである。
【００１３】
【発明の効果】
本発明のパチンコ球放出装置は、係合爪の頂部に爪車の回転中心を中心とする円弧状の球止め部を設けたため、球止め部の周上のどの位置に球圧が加わっても球制御用回転体に回転モーメントが生じない。従って、球止め部の周上にパチンコ球の球圧が加わっている限り、例えパチンコ球放出装置のモータの電源がＯＦＦで、パチンコ球放出装置に強い縦揺れの衝撃が加わるという特殊条件が重なっても、球制御用回転体が回転しないから前記したパチンコ球の大量流出トラブルが起こらない。そして、球止め部の長さ分だけ係合爪の停止位置に幅ができるから、球制御用回転体の制御が著しく容易になり、安定した品質での量産化が可能になる、などの優れた効果を発揮する。
【図面の簡単な説明】
【図１】パチンコ球放出装置の一部切欠斜視図である。
【図２】パチンコ球放出装置の縦断面図である。
【図３】図２のＷ−Ｗ線断面図である。
【図４】図２のＸ−Ｘ線断面図である。
【図５】パチンコ機の裏面図である。
【符号の説明】
３      …パチンコ球導出樋
４      …パチンコ球放出装置
５      …パチンコ球排出樋
９      …球通路
１２    …球制御用回転体
１２ｂ  …係合爪
１２ｃ  …球止め部
Ｒ１，Ｒ２…爪車
Ｂ１，Ｂ２，Ｂ３…パチンコ球
【図１】
0003627250.tif 000002
【図２】
0003627250.tif 000003
【図３】
0003627250.tif 000004
【図４】
0003627250.tif 000005
【図５】
0003627250.tif 000006